(57)【要約】【課題】制御装置から照明器具の間に制御用の配線を要しないものであって、周囲温度が低下して蛍光ランプの光出力が低下してもトンネル内の明るさの低下を緩和できるトンネル照明制御システムを提供すること。【解決手段】蛍光ランプを有した複数の照明器具２１〜２６と、トンネルの出入口付近の輝度を検出する輝度センサー４と、輝度センサー４の検出した輝度に応じて輝度の小さなものより段階的に第１から第Ｎまでの輝度ランクを判別して判別した輝度ランクに応じて複数の照明器具２１〜２６の点灯台数を制御する制御装置３と、を備えた照明制御システムにおいて、トンネルの内部又は出入口付近の温度を検出する外気温センサー５を設け、この外気温センサー５で検出された温度が所定の温度Ｙよりも低いときには、制御装置３は、判別した輝度ランクよりもひとつ高い輝度ランクに対応した点灯台数となるように複数の照明器具２１〜２６を制御するもの。【選択図】        図１
2005019125.tif 000002
【特許請求の範囲】
【請求項１】
トンネル内を照射する蛍光ランプを有した複数の照明器具と、トンネルの出入口付近の輝度を検出する輝度センサーと、この輝度センサーの検出した輝度に応じて輝度の小さなものより段階的に第１から第Ｎまでの輝度ランクを判別して判別した輝度ランクに応じて第１の輝度ランクに対応した最低点灯台数から第Ｎの輝度ランクに対応した最高点灯台数までのいずれかの台数に前記複数の照明器具の点灯台数を制御する制御装置と、を備えた照明制御システムにおいて、トンネルの内部又は出入口付近の温度を検出する外気温センサーを設け、この外気温センサーで検出された温度が所定の温度よりも低いときには、前記制御装置は、判別した輝度ランク（Ｘ（１≦Ｘ＜Ｎ））よりもひとつ高い輝度ランク（Ｘ＋１）に対応した点灯台数となるように前記複数の照明器具の点灯台数を制御するものであることを特徴とするトンネル照明制御システム。
【請求項２】
前記複数の照明器具は、前記制御装置が判別した輝度ランクに対応した点灯台数で点灯したときに、定められた温度範囲内において、トンネル内の路面の基準輝度が確保できるように配置され、前記所定の温度を、前記定められた温度範囲以下の温度としたことを特徴とする請求項２記載のトンネル照明制御システム。
【発明の詳細な説明】
【０００１】
【発明の属する技術分野】
本発明は、温度が低いときには光出力が低下する蛍光ランプを用いたトンネル照明制御システムに関する。
【０００２】
【従来の技術】
この種の照明器具の光源としては、ＨＩＤランプや低圧ナトリウムランプを使用するものが多く見られたが、近年は、蛍光ランプがトンネル照明として使われ始めている。これは、既に、事務所や店舗などで普及しているＨｆ蛍光ランプなどのコンパクトで大容量な蛍光ランプをトンネル照明用の光源として使用することが実用化された結果であり、今後も増えるものと推定されている。
【０００３】
ところで蛍光ランプは、図５に示すような光出力と周囲温度との関係を有している。すなわち、このものは周囲温度２５℃で光出力が最大となる上側に凸状の特性を有し、その変化は周囲温度２５℃より低温の場合に低下するものとなっている。
【０００４】
ここで蛍光ランプをトンネル用の照明器具の光源として使用する場合は、前記した低温時における光出力の低下を改善する必要がある。低温時における光出力の低下を改善したものとしては、特開平７−９４２８８号公報に開示されたものがあり、図６は、これに開示された照明制御システムのブロック図である。このものは、外部からの調光信号により蛍光ランプの光出力を制御する複数の照明器具２０ｋと、複数の照明器具２０ｋに調光信号を出力する制御装置３０と、を備えて構成されている。そして制御装置３０は、周囲の温度を検出する温度センサー８０と、温度センサー８０が検出した温度に応じて温度補正した調光信号を出力する調光信号設定部７０と、蛍光ランプの光出力を調整する調光度設定ボリュームと、を備えている。
【０００５】
この照明制御システムは、温度センサー８０の検出した周囲温度に応じて調光信号設定部７０から出力される調光信号が図６の破線で示したように温度補正されるので、調光度設定ボリュームにより設定した蛍光ランプの光出力が、周囲温度が低下してもあまり変動しないものとなる。
【０００６】
【特許文献１】
特開平７−９４２８８号公報
【０００７】
【発明が解決しようとする課題】
ところでトンネル照明としては、ドライバーができるだけ運転しやすいように、トンネルの外部が晴天などで明るいときにはトンネルの内部も明るくし、トンネルの外部が深夜などで暗いときにはトンネルの内部も暗くするという方法が取られている。図７は、これを説明するためのものであり、トンネル照明制御システムの概念図である。この図において、２１〜２６はトンネル内に所定の間隔で設置された照明器具、３は照明器具２１〜２６の点滅を制御する制御装置、Ｌ１〜Ｌ４は制御装置３から分岐され照明器具２１〜２６に接続された電力線、４は、トンネルの出入口付近の輝度を検出する輝度センサーである。
【０００８】
このものは、輝度センサー４の検出した輝度に応じて、トンネルの外部が晴天であるか深夜であるかなどを判別し、この判別した結果に基づいて、例えば、晴天と判別されれば２１〜２６の全ての照明器具を点灯させ、深夜と判別されれば２１と２３の照明器具を点灯させるものである。
【０００９】
これを詳しく述べると、まず輝度センサー４がトンネルの出入口付近の輝度を検出する。制御装置３は、検出された輝度が第１から第４の輝度ランクのいずれに該当するかを判別する。ここで各輝度ランクは、トンネルの外部の明るさに応じて設定されており、深夜であれば第１の輝度ランク、夜間であれば第２の輝度ランク、曇天であれば第３の輝度ランク、晴天であれば第４の輝度ランク、となるように設定されている。そして、制御装置３は、判別した輝度ランクに応じて第１の輝度ランク（深夜）に対応した最低点灯台数から第４の輝度ランク（晴天）に対応した最高点灯台数までのいずれかの台数に照明器具２１〜２６の点灯台数を制御する。
【００１０】
ここで第１の輝度ランク（深夜）の場合には、制御装置３はＬ２のみの電力線に電力を送り照明器具２１、２３を点灯させる（最低点灯台数）。第２の輝度ランク（夜間）の場合は、制御装置３はＬ２とＬ４の電力線に電力を送り照明器具２１、２３、２４、２６を点灯させる。第３の輝度ランク（曇天）の場合は、制御装置３はＬ２とＬ３とＬ４の電力線に電力を送り照明器具２１、２３、２４、２５、２６を点灯させる。さらに第４の輝度ランク（晴天）の場合は、制御装置３はＬ１〜Ｌ４全ての電力線に電力を送り全ての照明器具２１〜２６を点灯させる。
【００１１】
このようにトンネル照明制御システムが動作することにより、トンネルの外部とトンネルの内部の明るさが同じように変化するのでドライバーができるだけ運転しやすいものとなっている。ところが上記した、照明制御システムの光源として蛍光ランプを使用した場合、図５を用いて説明したように周囲温度が低くなると、その光出力が低下してしまうものとなるので、結果的にはトンネル内の路面が暗くなってしまう。
【００１２】
これを改善するために、特開平７−９４２８８号公報に開示されたものを使用することが考えられるが、この場合は、検出された周囲温度に応じて微妙に蛍光ランプの出力を補正するための調光回路などを照明器具に付加する必要がある。さらには、制御装置３からこの付加した調光回路に向けて、すなわち照明器具２１〜２６に向けて、付加した調光回路を制御するための制御信号線を配線する必要が生じてしまう。
【００１３】
本発明は、上記事由に鑑みてなしたもので、その目的とするところは、制御装置から照明器具の間に新たに制御用の配線を加えることなく、周囲温度が低下して蛍光ランプの光出力が低下してもトンネル内の明るさの低下を緩和できるトンネル照明制御システムを提供することにある。
【００１４】
【課題を解決するための手段】
請求項１に係る発明のトンネル照明制御システムは、トンネル内を照射する蛍光ランプを有した複数の照明器具と、トンネルの出入口付近の輝度を検出する輝度センサーと、この輝度センサーの検出した輝度に応じて輝度の小さなものより段階的に第１から第Ｎまでの輝度ランクを判別して判別した輝度ランクに応じて第１の輝度ランクに対応した最低点灯台数から第Ｎの輝度ランクに対応した最高点灯台数までのいずれかの台数に前記複数の照明器具の点灯台数を制御する制御装置と、を備えた照明制御システムにおいて、トンネルの内部又は出入口付近の温度を検出する外気温センサーを設け、この外気温センサーで検出された温度が所定の温度よりも低いときには、前記制御装置は、判別した輝度ランク（Ｘ（１≦Ｘ＜Ｎ））よりもひとつ高い輝度ランク（Ｘ＋１）に対応した点灯台数となるように前記複数の照明器具の点灯台数を制御するものであることを特徴とする。
【００１５】
請求項２に係る発明のトンネル照明制御システムは、請求項１において、前記複数の照明器具は、前記制御装置が判別した輝度ランクに対応した点灯台数で点灯したときに、定められた温度範囲内において、トンネル内の路面の基準輝度が確保できるように配置され、前記所定の温度を、前記定められた温度範囲以下の温度としたことを特徴とする。
【００１６】
【発明の実施の形態】
本発明の実施の形態を図１〜図４を用いて説明する。図１は、照明制御システムを説明するための概念図で、図１（ａ）は晴天の場合、図１（ｂ）は曇天の場合、図１（ｃ）は夜間の場合、図１（ｄ）は深夜の場合、を示す。また、図２は照明制御システムのブロック図、図３はトンネル外部の明るさと各照明器具の点灯状態を説明する説明図である。
【００１７】
このトンネル照明制御システムは、トンネル内を照射する蛍光ランプを有した複数の照明器具２１〜２６と、トンネルの出入口付近の輝度を検出する輝度センサー４と、この輝度センサー４の検出した輝度に応じて照明器具２１〜２６の点灯台数を制御する制御装置３と、トンネルの出入口付近の温度を検出する外気温センサー５と、制御装置３から分岐され照明器具２１〜２６に接続された電力線Ｌ１〜Ｌ４と、を備えて構成されている。
【００１８】
照明器具２１〜２６は、トンネル内の天井に略等間隔ピッチで取り付けられており、その中には蛍光ランプが収納されている。この蛍光ランプはＨｆランプのような小型で高出力なランプが用いられている。
【００１９】
輝度センサー４は、トンネルの出入り口の輝度を検出するものである。ここでは、輝度を測定しているが、照度計により照度を測定してもかまわない。また、トンネルの出入り口から少し離れた箇所の照度や輝度を測定してもかまわない。
【００２０】
制御装置３は、輝度センサー４の検出した輝度に応じて輝度の小さなものより段階的に第１から第４までの輝度ランクを判別し、この判別した輝度ランクに応じて第１の輝度ランクに対応した最低点灯台数から第４の輝度ランクに対応した最高点灯台数までのいずれかの台数に照明器具２１〜２６の点灯台数を制御できるものである。さらに、外気温センサー５で検出された温度が所定の温度Ｙよりも低いときには、制御装置３は、判別した輝度ランク（Ｘ（１≦Ｘ＜Ｎ））よりもひとつ高い輝度ランク（Ｘ＋１）に対応した点灯台数となるように照明器具２１〜２６の点灯台数を制御するものとなっている。
【００２１】
以上のように構成されたトンネル照明制御システムは、輝度センサー４の検出した輝度に応じて、トンネルの外部が晴天であるか深夜であるかなどを判別し、この判別した結果に基づいて、例えば、晴天と判別されれば２１〜２６の全ての照明器具を点灯させ、深夜と判別されれば２１と２３の照明器具を点灯させるものとなる。
【００２２】
この動作を詳しく述べると、まず輝度センサー４がトンネルの出入口付近の輝度を検出する。制御装置３は、検出された輝度が第１から第４の輝度ランクのいずれに該当するかを判別する。ここで各輝度ランクは、トンネルの外部の明るさに応じて、深夜であれば第１の輝度ランク、夜間であれば第２の輝度ランク、曇天であれば第３の輝度ランク、晴天であれば第４の輝度ランクとなるように設定されている。そして、制御装置３は、判別した輝度ランクに応じて第１の輝度ランク（深夜）に対応した最低点灯台数から第４の輝度ランク（晴天）に対応した最高点灯台数までのいずれかの台数に照明器具２１〜２６の点灯台数を制御する。
【００２３】
ここで第１の輝度ランク（深夜）の場合には、制御装置３はＬ２のみの電力線に電力を送り照明器具２１、２３を点灯させる（最低点灯台数）。第２の輝度ランク（夜間）の場合は、制御装置３はＬ２とＬ４の電力線に電力を送り照明器具２１、２３、２４、２６を点灯させる。第３の輝度ランク（曇天）の場合は、制御装置３はＬ２とＬ３とＬ４の電力線に電力を送り照明器具２１、２３、２４、２５、２６を点灯させる。さらに第４の輝度ランク（晴天）の場合は、制御装置３はＬ１〜Ｌ４全ての電力線に電力を送り全ての照明器具２１〜２６を点灯させる。
【００２４】
このようにトンネル照明制御システムが動作することにより、トンネルの外部とトンネルの内部の明るさが同じように変化するのでドライバーができるだけ運転しやすいものとなっている。
【００２５】
次に、周囲温度が低くなった場合の動作を説明する。外気温センサー５で検出された温度が所定の温度Ｙよりも低いときには、制御装置３は、判別した輝度ランク（Ｘ（１≦Ｘ＜Ｎ））よりもひとつ高い輝度ランク（Ｘ＋１）に対応した点灯台数となるように照明器具２１〜２６の点灯台数を制御するものとなっている。例えば、トンネルの外部が深夜のときに、外気温センサー５で検出された温度が所定の温度Ｙよりも低くなったとする。この場合、深夜は、第１の輝度ランクであるので、制御装置３は、第１の輝度ランク１よりもひとつ高い輝度ランク２（夜間）に対応した点灯台数となるように照明器具２１〜２６の点灯台数を制御するので、トンネル内は、２１、２３、２４、２６の照明器具が点灯するものとなる。これにより、トンネル内は、本来、深夜の点灯台数で点灯させるところを夜間の点灯台数で点灯するので、たとえ周囲温度が低くなって蛍光ランプの光出力が低下したとしてもトンネル内の明るさの低下を緩和できるものとなる。
【００２６】
また、仮に、トンネルの外部が夜間のときに、外気温センサー５で検出された温度が所定の温度Ｙよりも低くなると、制御装置３は夜間の輝度ランク２よりもひとつ高い輝度ランク３（曇天）に対応した点灯台数となるように照明器具２１〜２６の点灯台数を制御するものとなるので、同様に周囲温度が低くなって蛍光ランプの光出力が低下したとしてもトンネル内の明るさの低下を緩和できるものとなる。
【００２７】
次に、この実施の形態の応用例を説明する。図４は、これを説明するための図で、周囲温度とトンネルの内部の明るさを示した特性図である。このものは、前記したトンネル照明制御システムと構成的には、同じものを使用するが、所定の温度Ｙの設定について、限定を加えたものである。
【００２８】
トンネルには、路面の基準輝度Ｐが定められており、これを確保しなければならない場合がある。例えば、図１で説明したトンネルでこれを定めた場合は、図４に破線で示したように、各輝度ランク（深夜、夜間、曇天、晴天）に応じて路面の基準輝度Ｐが定められることになる。そして、通常は、周囲温度が低くなり蛍光ランプの光出力が低下しても定められた温度範囲内であれば基準輝度Ｐが得られるように照明器具の台数が設定され、トンネルの内部に適宜配置されている。逆に言えば、周囲温度が低くなっても定められた温度範囲の範囲内であれば、路面の基準輝度Ｐを下回ることはないものとなる。
【００２９】
ところが、この定められた温度範囲よりもさらに周囲温度が低くなると路面の基準輝度が確保できないので、このような場合は、前記した、所定の温度Ｙを定められた温度範囲（基準輝度Ｐが得られる温度範囲）以下の温度であって、その温度では、トンネル内の路面の基準輝度が確保できなくなる温度に設定すればよい。
【００３０】
このようにトンネル照明制御システムを構成することにより、外気温センサー５で検出された温度が低くなっても、定められた温度範囲内に周囲温度が収まっている場合は、路面の基準輝度Ｐが確保できる。さらに、定められた温度範囲以下に周囲温度がなった場合、すなわち所定の温度Ｙよりも外気温センサー５で検出された温度が低くなった場合には、制御装置３は、判別した輝度ランク（Ｘ（１≦Ｘ＜Ｎ））よりもひとつ高い輝度ランク（Ｘ＋１）に対応した点灯台数となるように照明器具２１〜２６の点灯台数を制御するものとなるので、広い温度範囲において路面の基準輝度Ｐが確保できるものとなる上に、例えば２５℃などの光出力が低下しない周囲温度では、路面が必要以上に明るくなってしまうことが軽減でき、エネルギーの有効活用も図れるものとなる。
【００３１】
なお、周囲温度が最も低下するときを気象データなどで調べてみると、夜間から朝方、特に日の出前に、１日の最低気温を記録することが多いことがわかっている。したがって、ここで説明したトンネル照明制御システムにおいては、第１又は第２の輝度ランクのときに最低気温を記録することが最も多いことになる。また、晴天のときは、最低気温を記録することが少ないこともわかっているので晴天のときは、定められた温度範囲以下に設定した所定の温度Ｙよりも温度が低下することは、殆どないものと推定される。
【００３２】
この実施の形態によると、トンネルの内部又は出入口付近の温度を検出する外気温センサー５を設け、この外気温センサー５で検出された温度が所定の温度Ｙよりも低いときには、制御装置３は、判別した輝度ランク（Ｘ（１≦Ｘ＜Ｎ））よりもひとつ高い輝度ランク（Ｘ＋１）に対応した点灯台数となるように照明器具２１〜２６の点灯台数を制御するものであることにより、温度が低くなって蛍光ランプの光出力が低下しても、ひとつ高い輝度ランク（Ｘ＋１）に対応した点灯台数でトンネル内を照明できるので、制御装置から照明器具の間に新たに制御用の配線を加えることなく、トンネル内の明るさの低下を緩和できるものとなる。
【００３３】
さらに、照明器具２１〜２６は、制御装置３が判別した輝度ランクに対応した点灯台数で点灯したときに、定められた温度範囲内において、トンネル内の路面の基準輝度Ｐが確保できるように配置され、所定の温度Ｙを、定められた温度範囲以下の温度としたことにより、広い温度範囲において路面の基準輝度Ｐが確保できるものとなる上に、例えば２５℃などの光出力が低下しない周囲温度では、路面が必要以上に明るくなってしまうことが軽減でき、エネルギーの有効活用も図れるものとなる。
【００３４】
なお、この実施の形態では、温度センサー５は、トンネルの出入り口より少し離れた、トンネル外部の温度を検出しているが、これはトンネルの内部の温度でもかまわない。また、この実施の形態では、説明をわかりやすくするために、６台の照明器具で説明したが、通常は、この６台が１スパンになっており、これがトンネル内に必要分だけのスパン設置されている。また、所定の温度Ｙの設定の方法は、照明器具が持つ固有の温度特性とトンネル内に設置されたときの照明設計などより計算して、これを制御装置３に記憶させる方法をとることが望ましい。また、このトンネル照明制御システムは、北海道などの寒冷地に設置されるほど有用なものとなる。
【００３５】
【発明の効果】
請求項１記載の発明にあっては、制御装置から照明器具の間に新たに制御用の配線を加えることなく、本来の点灯台数よりも多い台数でトンネル内を照射するので、周囲温度が低下して蛍光ランプの光出力が低下してもトンネル内の明るさの低下を緩和できるものとなる。
【００３６】
請求項２記載の発明にあっては、所定の温度を、定められた温度範囲以下の温度としたので、広い温度範囲において路面の基準輝度が確保できるものとなる。
【図面の簡単な説明】
【図１】本発明の実施の形態に係る照明制御システムを説明するための概念図で、図１（ａ）は晴天の場合、図１（ｂ）は曇天の場合、図１（ｃ）は夜間の場合、図１（ｄ）は深夜の場合、を示す。
【図２】同上の照明制御システムのブロック図である。
【図３】同上の照明制御システムのトンネル外部の明るさと各照明器具の点灯状態を説明する説明図である。
【図４】同上の照明制御システムの応用例を示す図で、周囲温度とトンネルの内部の明るさを示した特性図である。
【図５】従来例に係る照明制御システムに使用される蛍光ランプの光出力と周囲温度との関係を示した特性図である。
【図６】同上の照明制御システムのブロック図である。
【図７】第２の従来例に係るトンネル照明制御システムの概念図である。
【符号の説明】
３      制御装置
４      輝度センサー
５      外気温センサー
２１〜２６  照明器具
Ｙ      所定の温度
Ｐ      路面の基準輝度
【図１】
2005019125.tif 000003
【図２】
2005019125.tif 000004
【図３】
2005019125.tif 000005
【図４】
2005019125.tif 000006
【図５】
2005019125.tif 000007
【図６】
2005019125.tif 000008
【図７】
2005019125.tif 000009